(57)【要約】【課題】  貨幣受付けから実際に玉貸されるまでに長い時間を必要とせずに、計上売上の不正を防止すること。【解決手段】  貨幣識別手段３７１、３７２、と識別金額の範囲内の貸与額に相当する遊技媒体を貸与する貸与処理手段３８０とを備えるとともに、貸与処理に供される貸与額を管理装置１５０に送信する貸与額情報送信手段３８０と、貸与額を集計して得られた総貸与額を記憶する総貸与額集計記憶手段３８０、３８３と、総貸与額を該管理装置から受信する受信手段３８０と、総貸与額集計記憶手段３８０、３８３の総貸与額と管理装置１５０から受信した総貸与額とを比較照合して照合結果を管理装置１５０に送信する照合手段３８０とを備える。【選択図】  図８
2005342404.tif 000002
【特許請求の範囲】
【請求項１】
遊技機に対応して設けられ、
貨幣を受付けて、該受付けた貨幣の真贋と貨幣種別とを識別する貨幣識別手段と、
該貨幣識別手段にて識別された識別金額の範囲内の所定額に相当する遊技媒体を貸与するための貸与処理を行う貸与処理手段と、
を有する遊技用装置であって、
前記貸与処理に供される貸与額を特定可能な貸与額情報を、該遊技用装置における前記貸与額の集計および管理を行う管理装置に送信する貸与額情報送信手段と、
前記貸与額を集計する貸与額集計手段と、
前記管理装置が前記貸与額情報から特定される貸与額を集計して得られた総貸与額を該管理装置から受信する受信手段と、
該受信手段にて受信した総貸与額と、前記貸与額集計手段にて貸与額を集計することにより得られた総貸与額とを比較照合し、当該照合結果を前記管理装置に送信する照合処理手段と、
を備えることを特徴とする遊技用装置。
【請求項２】
前記照合処理手段における照合結果が、総貸与額が不一致であるとの照合結果であることを条件に、前記貸与処理手段における貸与処理を不能動化する不能動化処理を行う不能動化処理手段を備えることを特徴とする請求項１に記載の遊技用装置。
【請求項３】
前記照合処理手段により、所定期間において総貸与額が不一致であると判定された回数である不一致回数を集計するための不一致回数集計手段を備え、
前記不能動化処理手段は、前記不一致回数が所定回数に達したことを条件に前記不能動化処理を実施することを特徴とする請求項２に記載の遊技用装置。
【請求項４】
前記受信手段による総貸与額の受信からの経過時間を特定するための経過時間特定手段と、
該経過時間特定手段にて特定される経過時間が所定の経過時間に達したことを条件に、前記貸与処理手段における貸与処理を不能動化する不能動化処理を行う不能動化処理手段を備えることを特徴とする請求項１〜３のいずれかに記載の遊技用装置。
【請求項５】
遊技場外の管理機関に設置された場外管理装置との通信を行うための場外通信手段と、
前記場外通信手段により場外管理装置から不能動化解除指令を受信したこと基づいて、前記貸与処理の不能動化を解除する解除処理手段と、
を備えることを特徴とする請求項２〜４のいずれかに記載の遊技用装置。
【請求項６】
遊技機に対応して設けられ、貨幣を受付けて、該受付けた貨幣の真贋と貨幣種別とを識別する貨幣識別手段と、該貨幣識別手段にて識別された識別金額の範囲内の所定額に相当する遊技媒体を貸与するための貸与処理を行う貸与処理手段とを有する遊技用装置と、
該遊技用装置に接続され、該遊技用装置における貸与処理に供された貸与額の集計および管理を行う管理装置と、
から成る遊技用システムであって、
前記遊技用装置は、
前記貸与処理に供される貸与額を特定可能な貸与額情報を、前記管理装置に送信する貸与額情報送信手段と、
前記貸与額を集計する第１の貸与額集計手段と、
を備え、
前記管理装置は、
前記貸与額情報送信手段から送信される前記貸与額情報から特定される貸与額を集計する第２の貸与額集計手段と、
該第２の貸与額集計手段にて集計した総貸与額を前記遊技用装置に送信する総貸与額送信手段と、
を備え、
前記遊技用装置は、
前記総貸与額送信手段から送信される総貸与額を受信する受信手段と、
該受信手段にて受信した総貸与額と、前記第１の貸与額集計手段にて貸与額を集計することにより得られた総貸与額とを比較照合し、当該照合結果を前記管理装置に送信する照合処理手段と、
を備え、
前記管理装置は、遊技場外の管理機関に設置された場外管理装置に接続され、前記照合結果を受信したときに、該受信した照合結果を該場外管理装置に送信することを特徴とする遊技用システム。
【請求項７】
前記遊技用装置は、前記貸与額を含む貸与履歴を記憶する貸与履歴記憶手段と、
前記照合処理手段は、前記照合結果が不一致であるとの照合結果であることを条件に、該不一致であるとの照合結果とともに前記貸与履歴記憶手段に記憶している貸与履歴を前記管理装置に送信し、
前記管理装置は、前記照合結果とともに受信した貸与履歴を、該照合結果とともに前記場外管理装置に送信することを特徴とする請求項６に記載の遊技用システム。
【請求項８】
前記遊技用装置は、前記貸与処理毎に前記貸与額情報を前記貸与額情報送信手段から送信し、
前記管理装置は、前記貸与額情報送信手段にて送信される貸与額情報から特定される貸与額を含む貸与履歴を前記遊技用装置別に記憶、管理し、
前記遊技用装置から不一致であるとの照合結果を受信したことを条件に、該照合結果とともに受信した前記貸与履歴と、当該管理装置にて記憶、管理している当該遊技用装置の貸与履歴とを前記場外管理装置に送信することを特徴とする請求項７に記載の遊技用システム。
【発明の詳細な説明】
【技術分野】
【０００１】
本発明は、貨幣を受付けて、該受付けた貨幣の識別金額の範囲内の所定額に相当する、例えばパチンコ玉等の遊技媒体を貸与する遊技用装置、および、これら遊技用装置と該遊技用装置における遊技媒体の貸与に供された貸与額の集計および管理を行う管理装置とから成る遊技用システムに関する。
【背景技術】
【０００２】
従来、受付けた貨幣の識別金額の範囲内の貸与額に相当する、例えばパチンコ玉等の遊技媒体を貸与する遊技用装置として、売上を少なく見せるため等に、受付けた貨幣の受入金額を不正に小さくしたりすること等の、売上計上の不正を防止するために、受付けた貨幣を識別する現金受入手段にて識別された受入金額を含む原受入金額データに符号を付加或いは命令電文などへの符号化などのデータ処理を受入金額データ処理手段にて処理し、該処理済みの処理済み受入金額データと、符号の付加或いは命令電文などへの符号化を実施していない原受入金額データとを受入金額チェック手段に出力することで、該受入金額チェック手段が処理済み受入金額データを処理（符号解析）して得られる受入金額と、原受入金額データから特定される受入金額とを照合して、該照合において受入金額の整合性が確認されたら遊技媒体貸出指令を遊技媒体貸出手段に対して出力するとともに、提供数量累計データを売上を管理するための受入金額・遊技用媒体数量管理手段に出力するものがある（例えば、特許文献１参照）。
【０００３】
【特許文献１】特開２００３−２２５４４４号公報（第４頁、第１図）
【発明の開示】
【発明が解決しようとする課題】
【０００４】
しかしながら、特許文献１にあっては、貨幣の受付け毎に、原受入金額データの処理済み受入金額データへの変換処理や、該処理済みの処理済み受入金額データの符号解析処理や、符号解析により得られる受入金額と原受入金額データから特定される受入金額との照合処理が実施されることから、遊技用装置が貨幣を受付けてから実際に遊技媒体の貸出（貸与）が実施されるまでに、通常の遊技媒体の貸出（貸与）に比較して長い時間がかかってしまうという問題があった。
【０００５】
本発明は、このような問題点に着目してなされたもので、貨幣を受付けてから実際に遊技媒体の貸出（貸与）が実施されるまでに長い時間を必要とすることなく、計上売上の不正を防止することのできる遊技用装置および遊技用システムを提供することを目的とする。
【課題を解決するための手段】
【０００６】
上記課題を解決するために、本発明の請求項１に記載の遊技用装置は、
遊技機に対応して設けられ、
貨幣を受付けて、該受付けた貨幣の真贋と貨幣種別とを識別する貨幣識別手段と、
該貨幣識別手段にて識別された識別金額の範囲内の所定額に相当する遊技媒体を貸与するための貸与処理を行う貸与処理手段と、
を有する遊技用装置であって、
前記貸与処理に供される貸与額を特定可能な貸与額情報を、該遊技用装置における前記貸与額の集計および管理を行う管理装置に送信する貸与額情報送信手段と、
前記貸与額を集計する貸与額集計手段と、
前記管理装置が前記貸与額情報から特定される貸与額を集計して得られた総貸与額を該管理装置から受信する受信手段と、
該受信手段にて受信した総貸与額と、前記貸与額集計手段にて貸与額を集計することにより得られた総貸与額とを比較照合し、当該照合結果を前記管理装置に送信する照合処理手段と、
を備えることを特徴としている。
この特徴によれば、貨幣の受付け毎に変換処理や照合処理を行う必要がないため、貨幣を受付けてから実際に遊技媒体の貸出（貸与）が実施されるまでに長い時間を必要とすることなく、計上売上の不正を防止することができる。
【０００７】
本発明の請求項２に記載の遊技用装置は、請求項１に記載の遊技用装置であって、
前記照合処理手段における照合結果が、総貸与額が不一致であるとの照合結果であることを条件に、前記貸与処理手段における貸与処理を不能動化する不能動化処理を行う不能動化処理手段を備えることを特徴としている。
この特徴によれば、計上売上を改ざんするような不正改造が施された遊技用装置にて遊技媒体の貸与が継続されることを防止できる。
【０００８】
本発明の請求項３に記載の遊技用装置は、請求項２に記載の遊技用装置であって、
前記照合処理手段により、所定期間において総貸与額が不一致であると判定された回数である不一致回数を集計するための不一致回数集計手段を備え、
前記不能動化処理手段は、前記不一致回数が所定回数に達したことを条件に前記不能動化処理を実施することを特徴としている。
この特徴によれば、例えば、ノイズ等の影響により遊技用装置および管理装置双方の総貸与額に違いが発生しても、所定期間における不一致回数が所定回数に達するまでは貸与処理が不能動化されず、過度に貸与処理が不能動化されて売上の低下を招くようなことがない一方で、計上売上を改ざんするような不正改造が施された可能性の高い遊技用装置での貸与は不能動化できる。
【０００９】
本発明の請求項４に記載の遊技用装置は、請求項１〜３のいずれかに記載の遊技用装置であって、
前記受信手段による総貸与額の受信からの経過時間を特定するための経過時間特定手段と、
該経過時間特定手段にて特定される経過時間が所定の経過時間に達したことを条件に、前記貸与処理手段における貸与処理を不能動化する不能動化処理を行う不能動化処理手段を備えることを特徴としている。
この特徴によれば、管理装置から総貸与額が送信されないようにするような改造が施された場合でも、売上の照合が行われない状況で遊技用装置にて遊技媒体の貸与が継続されることを防止できる。
【００１０】
本発明の請求項５に記載の遊技用装置は、請求項２〜４のいずれかに記載の遊技用装置であって、
遊技場外の管理機関に設置された場外管理装置との通信を行うための場外通信手段と、
前記場外通信手段により場外管理装置から不能動化解除指令を受信したこと基づいて、前記貸与処理の不能動化を解除する解除処理手段と、
を備えることを特徴としている。
この特徴によれば、計上売上の不正の有無や、不正があった場合には該不正の改善の確認が遊技場外の管理機関にて実施された上で、該管理機関にて不能動化の解除を実施できる。
【００１１】
本発明の請求項６に記載の遊技用システムは、
遊技機に対応して設けられ、貨幣を受付けて、該受付けた貨幣の真贋と貨幣種別とを識別する貨幣識別手段と、該貨幣識別手段にて識別された識別金額の範囲内の所定額に相当する遊技媒体を貸与するための貸与処理を行う貸与処理手段とを有する遊技用装置と、
該遊技用装置に接続され、該遊技用装置における貸与処理に供された貸与額の集計および管理を行う管理装置と、
から成る遊技用システムであって、
前記遊技用装置は、
前記貸与処理に供される貸与額を特定可能な貸与額情報を、前記管理装置に送信する貸与額情報送信手段と、
前記貸与額を集計する第１の貸与額集計手段と、
を備え、
前記管理装置は、
前記貸与額情報送信手段から送信される前記貸与額情報から特定される貸与額を集計する第２の貸与額集計手段と、
該第２の貸与額集計手段にて集計した総貸与額を前記遊技用装置に送信する総貸与額送信手段と、
を備え、
前記遊技用装置は、
前記総貸与額送信手段から送信される総貸与額を受信する受信手段と、
該受信手段にて受信した総貸与額と、前記第１の貸与額集計手段にて貸与額を集計することにより得られた総貸与額とを比較照合し、当該照合結果を前記管理装置に送信する照合処理手段と、
を備え、
前記管理装置は、遊技場外の管理機関に設置された場外管理装置に接続され、前記照合結果を受信したときに、該受信した照合結果を該場外管理装置に送信することを特徴としている。
この特徴によれば、貨幣の受付け毎に変換処理や照合処理を行う必要がないため、貨幣を受付けてから実際に遊技媒体の貸出（貸与）が実施されるまでに長い時間を必要とすることなく、計上売上の不正を防止することができる。
【００１２】
本発明の請求項７に記載の遊技用システムは、請求項６に記載の遊技用システムであって、
前記遊技用装置は、前記貸与額を含む貸与履歴を記憶する貸与履歴記憶手段と、
前記照合処理手段は、前記照合結果が不一致であるとの照合結果であることを条件に、該不一致であるとの照合結果とともに前記貸与履歴記憶手段に記憶している貸与履歴を前記管理装置に送信し、
前記管理装置は、前記照合結果とともに受信した貸与履歴を、該照合結果とともに前記場外管理装置に送信することを特徴としている。
この特徴によれば、遊技場外の管理機関に設置された場外管理装置において、総貸与額の不一致が発生したこととともに、当該不一致が発生した際に前記貸与履歴記憶手段に記憶されている貸与履歴を把握できる。
【００１３】
本発明の請求項８に記載の遊技用システムは、
前記遊技用装置は、前記貸与処理毎に前記貸与額情報を前記貸与額情報送信手段から送信し、
前記管理装置は、前記貸与額情報送信手段にて送信される貸与額情報から特定される貸与額を含む貸与履歴を前記遊技用装置別に記憶、管理し、
前記遊技用装置から不一致であるとの照合結果を受信したことを条件に、該照合結果とともに受信した前記貸与履歴と、当該管理装置にて記憶、管理している当該遊技用装置の貸与履歴とを前記場外管理装置に送信することを特徴としている。
この特徴によれば、遊技場外の管理機関に設置された場外管理装置において、遊技用装置の前記貸与履歴記憶手段に記憶されている貸与履歴と、管理装置にて記憶、管理している当該遊技用装置の貸与履歴の双方を把握でき、これら総貸与額の不一致が遊技場の不正によるものか或いはノイズ等の影響によるものかを判断でき、適切な対応を実施できる。
【発明を実施するための最良の形態】
【００１４】
本発明の実施例を以下に説明する。尚、以下の実施例においては、遊技機として遊技媒体であるパチンコ玉を使用するパチンコ機を用いた例を示すが、本発明はこれに限定されるものではなく、その他の遊技機、例えばパチンコ玉を使用しても、該パチンコ玉が指触不能に封入された封入式パチンコ機や、遊技媒体としてコイン等を使用するスロットマシンやコインの代わりにパチンコ玉を使用してスロット遊技を行うスロットマシン、更には完全クレジット式のスロットマシン等の遊技機においても適用可能である。
【実施例】
【００１５】
本発明の遊技用装置が適用された本実施例の遊技用システムを図面に基づいて説明すると、図１は、本実施例の遊技用システムの構成を示す図であり、本実施例の遊技用システムは、遊技場において複数配置された図示しない遊技島に並設され、隣設されている現金ユニット３５０からパチンコ玉の払出を受けて遊技を行うパチンコ玉の貸出機能を有しないパチンコ機２と、該パチンコ機２に対して１対１に対応設置される本発明の遊技用装置としての現金ユニット３５０と、遊技場内の所定箇所に設置され、該現金ユニット３５０にて遊技媒体であるパチンコ玉の貸出に供された貸与額を集計、管理する、本発明における管理装置なるホールコンピュータ１５０とから主に構成されている。
【００１６】
また、本実施例のホールコンピュータ１５０は、通信回線１１を介して管理機関である管理会社に設置された管理サーバ１４０とデータ通信可能に接続されており、各遊技場の売上が第三者機関である管理会社において管理されるとともに、各現金ユニット３５０から送信される照合結果や貸出履歴等の情報がホールコンピュータ１５０により管理サーバ１４０に中継されるとともに、該管理サーバ１４０から送信される後述する貸出不能解除指示が現金ユニット３５０に対して中継されるようになっている。
【００１７】
これら遊技場内に設置された現金ユニット３５０とホールコンピュータ１５０とは、通信ケーブル９並びにＨＵＢ９’（図３参照）を介して双方向のデータ通信可能に接続され、これら各現金ユニット３５０とホールコンピュータ１５０にはそれぞれローカルＩＰアドレスが付与されてローカルエリアネットワーク（ＬＡＮ）が形成されていて、該ローカルエリアネットワーク（ＬＡＮ）に接続されているこれら各装置には、当該装置を個々に識別可能な装置ＩＤが付与されており、各装置が装置ＩＤとローカルＩＰアドレスとが対応付けられたＩＰアドレステーブルを有することで、装置ＩＤからローカルＩＰアドレスを特定して、当該装置ＩＤの装置との送受信を実施できるようになっている。
【００１８】
次いで、本実施例に用いた遊技用装置である現金ユニット３５０について説明すると、この現金ユニット３５０は、前述のように遊技島に並設される遊技機としてのパチンコ機２に１対１に対応して設置されている。
【００１９】
この本実施例の遊技用装置である現金ユニット３５０を図２並びに図３に基づいて説明すると、該玉貸ユニット３５０の前面には、図２に示すように、動作ＬＥＤユニット３５１、紙幣挿入口３５２、硬貨投入口３５３、硬貨返却ボタン３５４、操作表示部３６４、払出球供給部３６０、硬貨返却口３５８、が設けられている。
【００２０】
動作ＬＥＤユニット３５１は、現金ユニット３５０が動作中であることを点灯により表示するとともに、その点灯態様（点滅点灯）により、パチンコ玉の払出中に不具合（エラー）が発生したこと等を係員に報知するためのものである。
【００２１】
紙幣挿入口３５２には１０００円の紙幣が、硬貨投入口３５３には１００円と５００円硬貨が投入可能とされ、該紙幣挿入口３５２または硬貨投入口３５３から挿入（投入）された紙幣や硬貨は、各該紙幣挿入口３５２または硬貨投入口３５３に連設された本発明における貨幣識別手段となる紙幣識別ユニット３７１や硬貨識別ユニット３７２（図３参照）により、真贋並びに金種が識別され、該識別金種の情報等を含む識別情報が後述する制御ユニット３８０に出力される。尚、硬貨返却ボタン３５４が操作された場合や、１００円と５００円以外の硬貨は、硬貨返却口３５８から返却される。
【００２２】
操作表示部３６４には、投入して識別された識別金額並びに当該識別金額に対して貸出される貸出玉数のうち、未払い出しの玉数が表示される金額・未払出玉数表示部３６１や、識別金額が金額・未払出玉数表示部３６１に表示されているまでの間において貸出の中止を遊技者から受付けるための中止ボタンスイッチ３６２とが設けられている。
【００２３】
払出球供給部３６０は、現金ユニット３５０内部に設けられた後述する制御ユニット３８０から出力される信号（パルス）に応じた数のパチンコ玉を、１玉づつ計数して払い出すとともに、該払い出して計数したパチンコ玉の１玉毎に１パルスの信号を出力する球切り払出ユニット３７３に連通するように設けられており、該球切り払出ユニット３７３から払い出された球をパチンコ機２に誘導供給するためのものである。
【００２４】
図３は、本実施例の現金ユニット３５０の構成を示すブロック図であり、本実施例の現金ユニット３５０には、前記した紙幣識別ユニット３７１や硬貨識別ユニット３７２や球切り払出ユニット３７３に接続されて、現金ユニット３５０の動作を制御する制御ユニット３８０が内設されており、該制御ユニット３８０には、制御ユニット３８０が実施するパチンコ玉を貸出（貸与）する貸与処理等の各種の制御処理の内容が記述された処理プログラムが記憶されているＲＯＭ３８２や、該ＲＯＭ３８２に記憶されている処理プログラムに基づいてパチンコ玉を貸出（貸与）する貸与処理等の各種制御処理を行うマイクロプロセッシングユニット（ＭＰＵ）３８１や、マイクロプロセッシングユニット（ＭＰＵ）３８１が実施する各種の処理に使用されるとともに、ホールコンピュータ１５０から送信される貸出玉数設定データが記憶される貸出玉数テーブルや、貸与処理に供された貸与額（識別金額）を含む貸出履歴が記憶される貸出履歴テーブルや、ホールコンピュータ１５０からの照合要求の受信の日時や所定期間（本実施例では７日）における照合結果が不一致である回数等を含む照合結果データ等が記憶されるＲＡＭ３８３や、その時点の時刻情報やカレンダ情報を出力するためのリアルタイムクロック（ＲＴＣ）３８４とが搭載されている。
【００２５】
このＲＡＭ３８３に記憶されている本実施例の貸出玉数テーブルには、図４（ａ）に示すように、識別金額に相当する各貸与額に対応付けて貸出玉数が記憶されているとともに、本実施例の貸出履歴テーブルには、図４（ｂ）に示すように、各貸出処理が実施された時間に対応付けて、該貸出処理に供された貸与額（識別金額）が記憶されているとともに、これら各貸出履歴の貸与額（識別金額）の合計において、総貸与額が集計されている。尚、これら貸出履歴テーブルに記憶されている貸出履歴は、現金ユニット３５０の起動処理においてリセットされることで、該貸出玉数テーブルには一日における貸出履歴が記憶されるようになっている。
【００２６】
また、ＲＡＭ３８３に記憶されている本実施例の照合結果データには、図４（ｃ）に示す各項目のデータ、具体的には前回リセットされてからその時点までにホールコンピュータ１５０からの照合要求に含まれる総貸与額と前記貸出履歴テーブルにおいて集計された総貸与額とが不一致となった回数である現在不一致回数と、これら現在不一致回数に基づいて貸与処理（具体的には貸与処理を行うための貨幣の受付け）を不能動化する不一致回数の値である貸出不能化設定不一致回数と、貸出不能化設定不一致回数と現在不一致回数との差である残り不一致回数と、ホールコンピュータ１５０からの前回の照合要求の受信日時である前回照合要求受信日時と、新たな照合要求が受信されないときに前回の照合要求を受信した時点からの経過時間に基づいて貸与処理（具体的には貸与処理を行うための貨幣の受付け）を不能動化する経過時間の値である貸出不能化設定経過時間と、該前回の照合要求の受信からの経過時間が貸出不能化設定経過時間に達するまでの残り時間である残り経過時間とが記憶されている。尚、該照合結果データ中の現在不一致回数のデータと、残り不一致回数のデータは、前回のリセットから所定期間である７日（１週間）が経過した段階においてリセットされる。
【００２７】
また、制御ユニット３８０には、ホールコンピュータ１５０と双方向のデータ通信を実施するための本発明における場外通信手段となる通信部３７４が接続されているとともに、前記した動作ＬＥＤユニット３５１や金額・未払出玉数表示部３６１を形成する金額・未払出玉数表示器３６１ａが接続されていて、これら動作ＬＥＤユニット３５１の表示態様や金額・未払出玉数表示器３６１ａの表示が制御ユニット３８０により制御される。
【００２８】
また、制御ユニット３８０には、中止ボタンスイッチ３６２が接続されていて、該中止ボタンスイッチ３６２の操作を制御ユニット３８０が検出できるようになっている。
【００２９】
また、本実施例の制御ユニット３８０は、前記した紙幣識別ユニット３７１や硬貨識別ユニット３７２にて識別された貨幣の識別金額範囲内の所定額（本実施例では、該識別金額全額）に基づいて、当該所定額（識別金額）に対して前記ＲＡＭ３８３に記憶されている貸出玉数設定データにて設定されている貸出玉数のパチンコ球を、前記球切り払出ユニット３７３にて払い出して貸与する貸与処理を実施し、該貸与処理にて本発明における貸与処理手段が形成されている。
【００３０】
また、本実施例の制御ユニット３８０は、ホールコンピュータ１５０から送信される、各貸与額（識別金額）の各々に対して前記貸与処理において貸与される貸出玉数を含む貸出玉数設定データの受信に基づいて、該受信した貸出玉数設定データをＲＡＭ３８３に更新記憶することで設定する貸出玉数設定データ記憶処理を実施する。
【００３１】
また、本実施例の制御ユニット３８０は、前記金額・未払出玉数表示部３６１に表示されている未払出玉数が０、つまりは全てのパチンコ玉の払出が完了したことに基づいて、該貸与処理に供された貸与額（識別金額）と当該貸出処理を実施した時刻の情報とを含む貸出履歴を、図４（ｂ）に示す貸出履歴テーブルに記憶するとともに、該貸出履歴テーブルにおいて総貸与額を集計する貸出履歴記憶処理を実施し、該貸出履歴記憶処理並びに貸出履歴テーブルによって本発明の貸与履歴記憶手段並びに貸与額集計手段（請求項１）、第１の貸与額集計手段（請求項６）が形成されている。
【００３２】
また、本実施例の制御ユニット３８０は、貸与処理において全てのパチンコ玉の払出が完了したことに基づいて、該貸与処理毎に該貸与処理に供された貸与額（識別金額）を特定可能な情報である貸与額（識別金額）と、処理時刻と、当該現金ユニット３５０の装置ＩＤとを含む売上情報を、ホールコンピュータ１５０に対して送信する売上情報送信処理を実施し、該売上情報送信処理によって本発明における貸与額情報送信手段が形成されている（図７参照）。
【００３３】
また、本実施例の制御ユニット３８０は、ホールコンピュータ１５０において前記売上情報から特定される貸与額を集計して得られた各現金ユニット３５０における総貸与額を含む照合要求を、前記通信部３７４にて該ホールコンピュータ１５０から受信する受信処理を実施し、該受信処理によって本発明における受信手段が形成されている。
【００３４】
また、本実施例の制御ユニット３８０は、前記受信処理にて受信した照合要求に応じて、該受信した照合要求に含まれる総貸与額と、前記貸出履歴テーブルにて貸出額を集計することにより得られる集計金額である総貸与額とを比較照合し、当該照合の結果と装置ＩＤとを含む照合結果と、該照合の結果が不一致である場合には、前記貸出履歴テーブルにて集計されている集計金額である総貸与額と、貸出履歴テーブルに記憶されている貸出履歴とをホールコンピュータ１５０に対して送信する照合処理を実施し、該照合処理によって本発明における照合処理手段が形成されている。
【００３５】
また、本実施例の制御ユニット３８０は、前記照合処理により、総貸与額が不一致であると判定された場合に、所定期間（本実施例では７日間）において、照合結果データ中の現在不一致回数に１を加算更新することで総貸与額が不一致であると判定された回数である不一致回数を集計する不一致回数更新記憶処理を実施し、該不一致回数更新記憶処理並びに照合結果データによって本発明における不一致回数集計手段が形成されている。
【００３６】
また、本実施例の制御ユニット３８０は、前記受信処理における照合要求の受信時において、ＲＴＣ３８４から出力されるその時点の時刻を照合結果データ中の前回照合要求受信日時の時刻データとして更新記憶するとともに、任意の時点において、ＲＴＣ３８４から出力されるその時点の時刻と前回照合要求受信日時の時刻データとから、前回、総貸与額を含む照合要求を受信してからの経過時間を算出して特定し、該特定した経過時間が貸出不能化設定経過時間に達するまでの残り時間である残り経過時間を更新する経過時間特定処理を実施し、経過時間特定処理によって本発明における経過時間特定手段が形成されている。
【００３７】
また、本実施例の制御ユニット３８０は、照合処理における照合結果が総貸与額が不一致であることを条件として、より具体的には、前記照合処理における照合の結果が総貸与額が不一致であることに基づいて更新された前記照合結果データ中の現在不一致回数が、照合結果データに記憶されている貸出不能化設定不一致回数に達したこと、或いは、前記経過時間特定処理にて特定される経過時間により更新される残り経過時間が０、つまりは貸出不能化設定経過時間に経過時間が達したことを条件に、前記貸与処理を不能動化する、具体的には貨幣の受付けを禁止する不能動化処理を実施し、該不能動化処理によって本発明における不能動化処理手段が形成されている。尚、本実施例では、貸出不能化設定不一致回数を複数回となる３回に設定しているが、本発明はこれに限定されるものではなく、これら貸出不能化設定不一致回数を１回として、現在不一致回数を集計することなく、前記照合処理における照合の結果が総貸与額が不一致であることにより、一義的に貸与処理を不能動化するようにしても良い。
【００３８】
また、本実施例の制御ユニット３８０は、遊技場外の管理会社（管理機関）に設置された管理サーバ１４０から送信されることで、ホールコンピュータ１５０にて中継された貸出不能解除指示を通信部３７４を介して受信したこと基づいて、前記不能動化処理にて実施された貨幣の受付けの禁止を解除する解除処理を実施し、該解除処理によって本発明における解除処理手段が形成されている。このように、通信部３７４は、ホールコンピュータ１５０を介して管理サーバ１４０と通信をするから、場外管理装置となる管理サーバ１４０との通信を行うための場外通信手段が、通信部３７４にて形成されている。
【００３９】
次いで、本実施例の管理装置であるホールコンピュータ１５０について説明すると、該ホールコンピュータ１５０は、図５に示すように、コンピュータ内部にてデータの送受を行うデータバス１５１に、該ホールコンピュータ１５０が実施する各種処理を行う中央演算処理装置（ＣＰＵ）１５２、ＲＡＭ１５３、時刻情報やカレンダ情報を出力するリアルタイムクロック１５４、表示装置１５７、キーボードやマウス等の入力装置１５８、プリンタ１５６、磁気ディスクや光磁気ディスクから成り、後述する貸出玉数テーブル（図６（ａ）参照）やユニット別データテーブル（図６（ｂ）参照）等を記憶するための記憶装置１５５、各現金ユニット３５０とのデータ通信を行うための第１の通信インターフェィス１５９、管理サーバ１４０とのデータ通信を行うための第２の通信インターフェィス１６０が接続された通常のコンピュータである。
【００４０】
また、記憶装置１５５には、該ホールコンピュータ１５０が各種処理を実施するための処理プログラムに加えて、図示しない貸出玉数設定画面にて受付けた玉単価や消費税率や各貸与額（識別金額）や貸出玉数等の内容が記憶される図６（ａ）に示す貸出玉数テーブルや、各現金ユニット３５０における売上となる本日売上金額や貸出履歴等の各種情報が記憶される図６（ｂ）に示すユニット別データテーブルが記憶されている。
【００４１】
本実施例の貸出玉数テーブルは、図６（ａ）に示すように、図示しない貸出玉数設定画面にて受付けた各貸与額（識別金額）に対応付けて、当該貸与額（識別金額）にて遊技者に貸与（貸出）するパチンコ玉の玉数である貸出玉数と、該貸出玉数設定画面にて受付けたパチンコ玉の玉単価（本実施例では４円）並びに消費税率（本実施例では５％）とが記憶されている。
【００４２】
また、本実施例のユニット別データテーブルは、図６（ｂ）に示すように、各現金ユニット３５０に固有に付与された装置ＩＤに対応付けて、対応する台の台番号が記憶される対応台番号の項目と、通信状態（オンラインかオフラインか）が記憶される状況の項目と、各現金ユニット３５０から送信される売上情報に含まれる貸与額（識別金額）が加算記憶される本発明における総貸与額となる本日売上金額の項目と、該本日売上金額の内の消費税を含まない売上額が加算記憶される税なし売上の項目と、本日売上金額の内の消費税額が加算記憶される消費税額の項目と、各現金ユニット３５０から送信される売上情報に含まれる貸与額（識別金額）と処理時刻とが対応付けて記憶される貸出履歴１，貸出履歴２，…の項目とが設けられており、これらの各項目の情報が各現金ユニット３５０に固有に付与された装置ＩＤに対応付けて記憶されることで、ホールコンピュータ１５０において各現金ユニット３５０の総貸与額となる本日売上金額や貸出履歴が個別に管理されている。
【００４３】
尚、本実施例のユニット別データテーブルにあっては、本日売上金額の項目と、税なし売上の項目、消費税額の項目において合計が算出されることで、遊技場全体の本日売上金額や、遊技場全体の税なし売上や、遊技場全体の消費税額が個々に集計されるようになっている。尚、ユニット別データテーブルの本日売上金額の項目と、税なし売上の項目、消費税額の項目、各貸与履歴の項目は、１日に一度、ホールコンピュータ１５０の起動処理においてリセットされてユニット別データテーブルが更新される。
【００４４】
また、本実施例のホールコンピュータ１５０のＣＰＵ１５２は、制御ユニット３８０が実施する前記売上情報送信処理にて送信される売上情報に含まれる貸与額を、ユニット別データテーブルの本日売上金額に加算更新して総貸与額を集計する貸与額加算更新処理を実施し、該貸与額加算更新処理並びにユニット別データテーブルによって本発明における第２の貸与額集計手段が形成されている。
【００４５】
また、本実施例のホールコンピュータ１５０のＣＰＵ１５２は、前記貸与額加算更新処理にてユニット別データテーブルに集計、記憶している総貸与額となる本日売上金額を含む照合要求を、営業終了後の締め処理において、各現金ユニット３５０に対して送信する照合要求送信処理を実施し、該照合要求送信処理によって本発明における総貸与額送信手段が形成されている。
【００４６】
また、本実施例のホールコンピュータ１５０のＣＰＵ１５２は、制御ユニット３８０が実施する前記売上情報送信処理にて送信される売上情報に含まれる貸与額と処理時刻とを含む貸与履歴を、該売上情報に含まれる装置ＩＤに対応付けてユニット別データテーブルに記憶する貸与履歴記憶処理を実施する。
【００４７】
また、本実施例のホールコンピュータ１５０のＣＰＵ１５２は、総貸与額が不一致である照合の結果を含む照合結果の受信に基づいて、当該遊技場の遊技場ＩＤを付加した該受信した照合結果と、該照合結果とともに受信した貸与履歴並びに総貸与額（集計金額）と、該照合結果に含まれる装置ＩＤに対応付けて前記ユニット別データテーブルに記憶されている全ての貸与履歴並びに本日売上金額とを管理サーバ１４０に対して送信する処理を実施する。
【００４８】
以下、本実施例の遊技用システムにおける処理状況について、図７並びに図８に基づいて説明する。
【００４９】
まず、一日に１回、現金ユニット３５０の起動時において、制御ユニット３８０が自己の装置ＩＤを含む接続確認情報をホールコンピュータ１５０に送信することで、該接続確認情報を受信したホールコンピュータ１５０のＣＰＵ１５２は、ユニット別データテーブルにおいて、受信した接続確認情報に含まれる装置ＩＤに対応する「状況」の項目のデータを、オフラインからオンラインに更新するとともに、その時点において貸出玉数テーブルに記憶されている記憶内容の内、各貸与額（識別金額）と各貸与額（識別金額）に対応する貸出玉数とを貸出玉数設定データとして、接続確認情報を送信してきた現金ユニット３５０に対して配信（返信）することにより、該貸出玉数設定データの配信（返信）に基づいて現金ユニット３５０の制御ユニット３８０によって、受信した貸出玉数設定データが前記貸出玉数テーブルに更新記憶されるようになっており、このようにすることで、例えば、何らかの障害により、貸出玉数テーブルに記憶されているデータが壊れている場合や、不正に改竄されている場合にも、毎日、正しい設定が確実に実施されるようになり、これら貸出玉数設定データの障害による不都合の発生を、未然に防止することができるようになっている。
【００５０】
このようにして、貸出玉数設定データの受信に基づく貸出玉数テーブルの更新が完了した現金ユニット３５０に、遊技者が遊技をするために、現金、例えば５００円硬貨を投入した場合には、図７に示すように、現金ユニット３５０の硬貨識別ユニット３７２により、当該投入された５００円硬貨が識別されて、該識別結果が制御ユニット３８０に出力されることで、該制御ユニット３８０は、当該出力されてきた識別結果から貸与額となる識別金額が５００円であると特定し、該特定した識別金額である５００円を、遊技者が確認できるように、所定時間に亘って金額・未払出玉数表示部３６１に表示する。
【００５１】
そして、金額・未払出玉数表示部３６１に表示した該貸与額となる識別金額である５００円に対応する貸出玉数を、前記ＲＡＭ３８３に記憶されている貸出玉数テーブルの記憶データから、１１９玉であると特定し、該特定した貸出玉数である１１９玉を金額・未払出玉数表示部３６１に表示するとともに、該特定した貸出玉数である１１９玉に相当する信号（パルス）を、球切り払出ユニット３７３に対して出力することで、球切り払出ユニット３７３においてパチンコ玉の払出が開始される。
【００５２】
この球切り払出ユニット３７３におけるパチンコ玉の払出に応じて該球切り払出ユニット３７３からは、１玉のパチンコ玉の払出毎に１パルスの信号が出力されるようになっており、該１パルスの信号が入力されることに基づいて制御ユニット３２８は、該１パルスの信号の入力毎に１玉毎、金額・未払出玉数表示部３６１に表示されている玉数（未払出玉数）の表示を減算更新する。
【００５３】
金額・未払出玉数表示部３６１の玉数（未払出玉数）の表示が０となった場合に制御ユニット３８０は、不具合なく払出が完了したものと判断して、当該貸与（貸出）に供されることで貸与額となった識別金額とＲＴＣ３８４から出力されるその時点の時刻とを、貸出履歴として貸出履歴テーブルに記憶するとともに、総貸与額となる集計金額を更新してその当日の総貸与額を集計し、該貸与額（識別金額）である５００円と処理時刻、並びに自己の装置ＩＤとを含む売上情報をホールコンピュータ１５０に対して送信する。
【００５４】
この売上情報の受信に応じてホールコンピュータ１５０のＣＰＵ１５２は、該受信した売上情報に含まれる装置ＩＤに対応付けてユニット別データテーブルに記憶されている本日売上金額に、該受信した貸与額となった識別金額である５００円を加算更新することで、該ユニット別データテーブルの本日売上金額に各現金ユニット３５０における貸与処理に供された貸与額が集計されることで、該本日売上金額にて総貸与金額が特定できるようになる。
【００５５】
そして、当該貸与額となった識別金額である５００円に対応する貸出玉数を、貸出玉数テーブルにおいて該５００円に対応して記憶されている貸出玉数（１１９玉）から特定し、当該特定した貸出玉数（１１９玉）に、貸出玉数テーブルに記憶されている玉単価（４．０円）を乗じた金額である４７６円に消費税率（５％）を乗じた金額である２３．８円を消費税額に加算更新するとともに、該消費税額を識別金額である５００円から減じた４７６．２円を税なし売上に加算更新するとともに、受信した売上情報に含まれる貸与額（識別金額）である５００円と処理時間とを新たな貸与履歴として登録（記憶）してユニット別データテーブルを更新する。このようにすることで、遊技場は、ホールコンピュータ１５０にて消費税を含まない税なし売上と、消費税額とを個別に正確に把握することができ、正確な税申告を実施できる。
【００５６】
そして、ホールコンピュータ１５０のＣＰＵ１５２は、営業終了時の締め処理において、前記ユニット別データテーブルに各装置ＩＤに対応して記憶されている本日売上金額の値から、各現金ユニット３５０における総貸与額を特定し、該特定した総貸与額（本日売上金額）を含む照合要求を、各装置ＩＤに対応する現金ユニット３５０に送信する。
【００５７】
この照合要求の受信に基づいて制御ユニット３８０は、照合要求を受信した時点の日時を前記照合結果データの前回照合要求受信日時に更新記憶して照合結果データを更新するとともに、受信した照合要求に含まれる総貸与額（本日売上金額）と貸出履歴テーブルの集計金額（総貸与額）とを比較照合する。
【００５８】
この比較照合において、双方の総貸与額（本日売上金額と集計金額）が一致する場合には、該照合が一致したことを示す照合の結果と、当該現金ユニット３５０の装置ＩＤと、総貸与額とを含む照合結果をホールコンピュータ１５０に対して送信することで、これら照合済みの総貸与額が管理サーバ１４０に送信されるので、第三者機関である管理会社において、正確な売上を把握できる。
【００５９】
一方、前記比較照合において、双方の総貸与額（本日売上金額と集計金額）が一致しない場合には、前記照合結果データの現在不一致回数に１を加算更新するとともに、残り不一致回数から１を減算更新して、該残り不一致回数が０、つまり、現在不一致回数が貸出不能化設定不一致回数に達しているか否かを判定し、貸出不能化設定不一致回数に達している場合（残り不一致回数が０である場合）に制御ユニット３８０は、貨幣受付けを禁止して貸出処理を不能動化するとともに、前記照合が不一致であることを示す照合の結果と、当該現金ユニット３５０の装置ＩＤとを含む照合結果と、その時点において前記貸出履歴データテーブルに記憶されている貸出履歴（その当日の営業開始時点からの当該現金ユニット３５０にける貸出履歴に相当）をホールコンピュータ１５０に対して送信する。尚、現在不一致回数が貸出不能化設定不一致回数に達していない場合に制御ユニット３８０は、貨幣受付けを禁止せずに、前記照合が不一致であることを示す照合の結果と、当該現金ユニット３５０の装置ＩＤとを含む照合結果と、その時点において前記貸出履歴データテーブルに記憶されている貸出履歴（その当日の営業開始時点からの当該現金ユニット３５０にける貸出履歴に相当）をホールコンピュータ１５０に対して送信する。
【００６０】
この照合結果並びに貸出履歴の受信に応じてホールコンピュータ１５０のＣＰＵ１５２は、受信した照合結果が照合が不一致であることを示す照合の結果を含む場合において、当該遊技場の遊技場ＩＤを付加した照合結果と、該照合結果とともに受信した貸出履歴と総貸与額（集計金額）、並びにユニット別データテーブルに該受信した照合結果に含まれる装置ＩＤに対応して記憶されている全ての貸与履歴並びに本日売上金額とを含む不一致発生情報を、管理サーバ１４０に対して送信する。
【００６１】
この不一致発生情報の受信により管理サーバ１４０においては、該不一致発生情報が記憶されるとともに、これら不一致が発生した旨が報知され、該報知により、これら不一致発生情報に含まれる各情報、具体的には、該不一致発生情報に含まれる総貸与額（集計金額）と本日売上金額とから、例えば、ホールコンピュータ１５０から現金ユニット３５０に送信される照合要求に含まれる総貸与額（本日売上金額）が、送信中に誤りを生じる場合があることから、本当にこれら総貸与額（集計金額）と本日売上金額とが不一致となっているかを確認するとともに、受信した現金ユニット３５０における貸与履歴と、ホールコンピュータ１５０にて管理されていた貸与履歴とを比較することで、不一致の原因を特定する。具体的には、履歴の一部のみに双方の貸与履歴の貸与額に違いがある場合には、不正な改造による不一致ではなく、ノイズや何らかの不具合による不一致の発生と判断でき、逆に、履歴の全般に渡ってホールコンピュータ１５０にて管理されていた貸与履歴の貸与額が少ない場合等には、該現金ユニット３５０に対して何らかの不正な改造があるものと判断できる。
【００６２】
これらの不一致の原因の特定において原因が不正ではないと判定された場合や、原因が不正であると判定された場合で、これら不正に対する改善がなされた場合には、所定の操作に基づいて管理サーバ１４０から、該現金ユニット３５０の装置ＩＤと、該現金ユニット３５０が設置されている遊技場の遊技場ＩＤと、貸出不能の解除指示とを含む貸出不能解除指示が、遊技場ＩＤに対応する遊技場に設置されているホールコンピュータ１５０に対して送信されることで、該ホールコンピュータ１５０において貸出不能解除指示が、該貸出不能解除指示に含まれる装置ＩＤの現金ユニット３５０に対して中継される。
【００６３】
この貸出不能解除指示の受信に基づいて制御ユニット３８０は、前記にて貸出処理を不能動化するために禁止した貨幣受付けを受付け可能として貸出不能を解除するとともに、前記照合結果データの現在の不一致回数を０にリセットする。
【００６４】
以上、本実施例によれば、貸与処理毎に、従来のように、管理装置であるホールコンピュータ１５０送信する貸与額等の情報の変換処理や、ホールコンピュータ１５０との間において該貸与処理に使用される貸与額の照合が実施されることがないので、貨幣を受付けてから実際に遊技媒体であるパチンコ玉の貸出（貸与）が実施されるまでに長い時間を必要とすることないとともに、これら貸出処理の時間が長くなってしまうことによるパチンコ機２の稼働率の低下等も防止できるばかりか、遊技用装置である現金ユニット３５０と管理装置であるホールコンピュータ１５０の双方の総貸与額を比較照合することで、計上売上の不正を防止することができる。
【００６５】
また、前記実施例によれば、遊技用装置である現金ユニット３５０の制御ユニット３８０が、総貸与額が不一致であったことに基づいて、貨幣の受付けを禁止することで貸与処理を不能動化することで、計上売上を改ざんするような不正改造が施された現金ユニット３５０にてパチンコ玉の貸与が継続され、不正が継続して実施されることを防止（阻止）できる。
【００６６】
また、前記実施例によれば、総貸与額の不一致を、照合結果データ中の現在の不一致回数において蓄積記憶し、該現在の不一致回数が予め設定された貸出不能化設定不一致回数に達した場合において貸与処理の不能動化を実施することで、例えば、ノイズ等の影響等により、遊技用装置である現金ユニット３５０および管理装置であるホールコンピュータ１５０の双方の総貸与額に違いが発生しても、所定期間である７日間における現在の不一致回数が貸出不能化設定不一致回数に達するまでは貸与処理が不能動化されないので、過度（不必要）に貸与処理が不能動化されて売上の低下を招くようなことがない一方で、計上売上を改ざんするような不正改造が施された可能性の高い現金ユニット３５０での貸与は不能動化できる。
【００６７】
また、前記実施例によれば、管理装置であるホールコンピュータ１５０から総貸与額を含む照合要求が送信されないようにするような改造が施された場合でも、これら総貸与額による照合が行われない状況で、現金ユニット３５０にてパチンコ玉の貸与が継続されることを防止（阻止）できる。
【００６８】
また、前記実施例によれば、管理会社に設置されている管理サーバ１４０からの貸出不能解除指示の受信に基づいて、現金ユニット３５０の制御ユニット３８０が、貸与処理の不能動化を解除、具体的には貨幣の受付け禁止を解除するので、計上売上の不正の有無や、不正があった場合には該不正の改善の確認が遊技場外の管理機関である管理会社にて実施された上で、該管理会社にて現金ユニット３５０の不能動化の解除を実施できる。
【００６９】
また、前記実施例によれば、総貸与額の照合が不一致である照合の結果を含む照合結果の受信に基づいてホールコンピュータ１５０により、該照合結果とともに現金ユニット３５０から送信されてきた貸出履歴と、該ホールコンピュータ１５０にてユニット別データテーブルに記憶している当該現金ユニット３５０の貸出履歴とが管理サーバ１４０に送信するようになっているので、管理サーバ１４０において、現金ユニット３５０に記憶されていた貸与履歴と、管理装置にて記憶、管理されていた貸与履歴の双方を把握でき、これらの貸与履歴を照合することで、総貸与額の不一致が遊技場の不正によるものか或いはノイズ等の影響によるものかを管理会社側において判断でき、適切な対応を実施できる。
【００７０】
以上、本発明の実施例を図面により説明してきたが、具体的な構成はこれら実施例に限られるものではなく、本発明の要旨を逸脱しない範囲における変更や追加があっても本発明に含まれる。
【００７１】
例えば、前記実施例では、遊技用装置である現金ユニット３５０をパチンコ機２とは別体とした例を示したが、本発明はこれに限定されるものではなく、これら現金ユニット３５０をパチンコ機２とが一体とされたものであっても良い。
【００７２】
また、前記実施例では、ホールコンピュータ１５０から管理サーバ１４０に、不一致発生情報のみを送信するようにしており、このようにすることは、これら不一致発生情報に含まれない現金ユニット３５０は総貸与額が一致だったものと判定できることから、これら総貸与額が一致だった現金ユニット３５０の照合結果も管理サーバ１４０に送信する場合に比較して、管理サーバ１４０への通信負荷を低減できることから好ましいが、本発明はこれに限定されるものではなく、ホールコンピュータ１５０が現金ユニット３５０から総貸与額が一致した照合の結果を含む照合結果を受信した場合に、これら受信した照合結果に遊技場ＩＤを付加して管理サーバ１４０に送信することで、管理サーバ１４０において、総貸与額が不一致だった現金ユニット３５０以外に、総貸与額が一致だった現金ユニット３５０も明確に把握できるようにしても良い。
【００７３】
また、前記実施例では、貸出不能化設定不一致回数や、前記不一致回数を蓄積記憶する所定期間や、貸出不能化設定経過時間が、現金ユニット３５０に予め設定されているが、本発明はこれに限定されるものではなく、これらの設定を現金ユニット３５０やホールコンピュータ１５０において、適宜に設定変更できるようにしても良い。
【００７４】
また、前記実施例では、照合処理の照合結果の内容に基づいて、遊技用装置である現金ユニット３５０の制御ユニット３８０が、貸出処理の不能動化（具体的には貨幣の受付けの禁止）を実施するようにしているが、本発明はこれに限定されるものではなく、これらの不能動化の指示を、管理装置であるホールコンピュータ１５０が各現金ユニット３５０に送信し、該不能動化の指示の受信に基づいて制御ユニット３８０が貸出処理の不能動化を実施するようにすれば良い。
【００７５】
また、前記実施例では、各貸与金額毎に異なる貸出玉数を現金ユニット３５０に設定できるようにしており、このようにすることは、例えば１００円に対して一律に消費税を考慮した２４玉を貸出する設定とし、５００円の貸与額に対して該１００円の５倍である１２０玉、１０００円の貸与額に対して１００円の１０倍２４０玉を貸与する場合には、遊技場側が負担する金額が、５００円では４円、１０００円ではパチンコ玉の貸出単価である４．２円よりも大きな８円にも達してしまい、遊技場の負担が非常に大きくなることを回避できることから好ましいが、本発明はこれに限定されるものではなく、これらの各貸与額に対する貸出玉数を、制御ユニット３８０が、消費税を含む１つのパチンコ玉の貸出単価、具体的には４．２円にて各貸与額を除した商の値を、その小数点未満を例えば四捨五入する等により貸出玉数を算出するようにしても良いし、更には、前述のように、各貸与額に対して、１００円単位に対して２４玉を払い出すように設定された基準値に基づて、２４玉に各貸与額を１００円で除した値を乗じた数を貸与するようにしても良い。
【００７６】
また、前記実施例では、貨幣として紙幣と硬貨とを受付けるようにしているが、本発明はこれに限定されるものではなく、これらのいずれか一方のみの貨幣を受付けるようにしても良い。
【００７７】
また、前記実施例では、遊技用装置である現金ユニット３５０と管理装置であるホールコンピュータ１５０との通信を、通信ケーブル８を介しての有線にて実施しているが、本発明はこれに限定されるものではなく、これらの通信を無線や赤外線を使用した通信を使用しても良い。
【００７８】
更には、これら通信形態の複数を使用し、例えば前記売上情報等は有線の通信にて実施して、照合要求や照合結果は、無線や赤外線を使用してホールコンピュータ１５０に送信するようにして、これら照合要求や照合結果の通信が不正に改竄されて、不正が発覚されないようにすることを防止できるようにしても良いし、これらの各情報の送信経過を、複数の通信経路のいずれにて通信するかを、任意に選択して現金ユニット３５０とホールコンピュータ１５０とが通信するようにしても良い。
【００７９】
また、前記実施例では、遊技用装置である現金ユニット３５０と管理装置であるホールコンピュータ１５０との通信データを、暗号化する等の処理を実施していないが、本発明はこれに限定されるものではなく、これら通信データ、例えば現金ユニット３５０からホールコンピュータ１５０に送信される売上情報や照合結果や、ホールコンピュータ１５０から現金ユニット３５０に送信される照合要求等のデータを暗号化しても良い。また、これら暗号化する情報としては、売上情報を暗号化した場合には、ホールコンピュータ１５０に多数の現金ユニット３５０が接続されていると、ホールコンピュータ１５０にてこれら暗号化された売上情報の復号化処理の処理負荷が多大になってしまう場合があることから、このような場合にあっては、営業終了時等において送信される前記照合結果や照合要求のいずれか一方或いは双方を暗号化するようにすれば良い。
【００８０】
また、前記貸出不能解除指示も暗号化していないが、これらの貸出不能解除指示のデータが通信中に傍受されて特定されてしまうと、不正に貸出不能とされた現金ユニット３５０に該特定された貸出不能解除指示のデータが送信されて貸出不能を解除できてしまう畏れがある場合には、これら貸出不能解除指示も、例えば、送信の都度毎にデータ列の形態が異なるような暗号化を実施するようにしても良い。
【００８１】
また、前記実施例では、前記照合要求を営業終了時における締め処理において、ホールコンピュータ１５０が現金ユニット３５０に送信するようにしているが、本発明はこれに限定されるものではなく、これらの照合要求を、営業中の所定時間毎、例えば２時間毎に各現金ユニット３５０に送信して総貸与額の照合を実施するようにしても良く、この場合には、これら照合要求を送信するタイミング（時間間隔）を、ホールコンピュータ１５０において設定変更できるようにしても良い。
【００８２】
また、前記実施例では、営業終了後において総貸与額の照合が実施されるために、現金ユニット３５０にて総貸与額の照合が不一致であったことを報知するようにしてはいないが、本発明はこれに限定されるものではなく、例えば、前記したように、営業中の所定時間毎に総貸与額の照合を実施する場合等にあっては、多数の現金ユニット３５０の内、どの現金ユニット３５０で総貸与額の不一致が発生したかを特定できるようにするために、これら総貸与額の不一致が発生した現金ユニット３５０の制御ユニット３８０が、例えば動作ＬＥＤユニット３５１を所定の点灯態様とすることで、総貸与額の不一致が発生したことを報知するようにしても良い。
【００８３】
また、前記実施例では、遊技場に１台のホールコンピュータ１５０とした例を示したが、本発明はこれに限定されるものではなく、これらホールコンピュータ１５０を、例えば各遊技島毎に設置して、これら各遊技島の各ホールコンピュータ１５０が管理会社の管理サーバ１４０に接続されるようにしても良い。
【００８４】
また、前記実施例では、遊技媒体であるパチンコ玉を現金ユニット３５０が払い出して対応するパチンコ機２に供給するようにしているが、本発明はこれに限定されるものではなく、識別金額をメモリや当該装置内に保持しているカード等の記録媒体に記録した後に、当該記録した識別金額に対応する数のパチンコ玉の払い出しを対応するパチンコ機に指示することにより貸与処理を実施する遊技用装置でも良い。
【００８５】
また、前記実施例では、所定期間である一週間における不一致回数を、照合結果データの現在不一致回数に加算更新するとで予め集計しておき、新たに不一致が発生したときに、これら加算更新後の新たな現在不一致回数に基づいて貸与処理の不能動化処理を実施するようにしているが、本発明はこれに限定されるものではなく、これら現在不一致回数のように、所定期間における不一致回数を集計するのではなく、例えば、不一致の発生履歴のみを記憶しておき、該不一致の発生履歴に基づいて、所定期間における不一致回数を集計するようにしても良い。
【００８６】
また、前記実施例では、前記現金ユニット３５０の制御ユニット３８０において、貸与履歴テーブルに貸与額を含む貸与履歴を記憶することで、予め総貸与額となる各貸与額の集計金額を集計するようにしているが、本発明はこれに限定されるものではなく、これら貸与履歴テーブルに貸与履歴のみを記憶しておき、これら各貸与履歴の貸与額の集計を、前記照合要求の受信に応じて実施して総貸与額を集計するようにしても良いし、更には、これら貸与履歴を記憶せずに、各貸与額を加算更新して総貸与額のみを集計するようにしても良い。
【００８７】
また、前記実施例では、ホールコンピュータ１５０がユニット別データテーブルにおいて、売上情報に含まれる貸与額（識別金額）を本日売上金額に加算更新することで、各現金ユニット３５０の総貸与額を集計するようにしているが、本発明はこれに限定されるものではなく、これらホールコンピュータ１５０においては、売上情報の受信に基づいて、各現金ユニット３５０別に貸与額（識別金額）を含む貸与履歴のみを記憶しておき、照合要求の送信時において、これら各現金ユニット３５０の貸与履歴に含まれる貸与額（識別金額）を集計して、各現金ユニット３５０の総貸与額を集計し、該集計した総貸与額を含む照合要求を送信するようにしても良い。
【００８８】
前記実施例における各要素は、本発明に対して以下のように対応している。
【００８９】
本発明の請求項１は、遊技機（パチンコ機２）に対応して設けられ、貨幣を受付けて、該受付けた貨幣の真贋と貨幣種別とを識別する貨幣識別手段（紙幣識別ユニット３７１、硬貨識別ユニット３７２）と、該貨幣識別手段にて識別された識別金額の範囲内の所定額に相当する遊技媒体（パチンコ玉）を貸与するための貸与処理を行う貸与処理手段（制御ユニット３８０；貸与処理）と、を有する遊技用装置（現金ユニット３５０）であって、前記貸与処理に供される貸与額を特定可能な貸与額情報（売上情報）を、該遊技用装置における前記貸与額の集計および管理を行う前記管理装置（ホールコンピュータ１５０）に送信する貸与額情報送信手段（制御ユニット３８０；売上情報送信処理）と、前記貸与額を集計する貸与額集計手段（制御ユニット３８０；貸与額加算更新処理、ユニット別データテーブル）と、前記管理装置が前記貸与額情報から特定される貸与額を集計して得られた総貸与額（照合要求）を該管理装置から受信する受信手段（制御ユニット３８０；受信処理）と、該受信手段にて受信した総貸与額と、前記貸与額記憶手段にて貸与額を集計することにより得られた総貸与額とを比較照合し、当該照合結果を前記管理装置に送信する照合処理手段（制御ユニット３８０；照合処理）と、を備える。
【００９０】
本発明の請求項２は、前記照合処理手段（制御ユニット３８０；照合処理）における照合結果が、総貸与額が不一致であるとの照合結果であることを条件に、前記貸与処理手段（制御ユニット３８０；貸与処理）における貸与処理を不能動化する不能動化処理を行う不能動化処理手段（制御ユニット３８０；不能動化処理）を備える。
【００９１】
本発明の請求項３は、前記照合処理手段（制御ユニット３８０；照合処理）により、所定期間（７日間）において総貸与額が不一致であると判定された回数である不一致回数を集計するための不一致回数集計手段（制御ユニット３８０；不一致回数更新記憶処理、照合結果データ）を備え、前記不能動化処理手段（制御ユニット３８０；不能動化処理）は、前記不一致回数が所定回数（貸出不能化設定不一致回数）に達したことを条件に前記不能動化処理を実施する。
【００９２】
本発明の請求項４は、前記受信手段（制御ユニット３８０；受信処理）による総貸与額（照合要求）の受信からの経過時間を特定するための経過時間特定手段（制御ユニット３８０；経過時間特定処理）と、該経過時間特定手段にて特定される経過時間が所定の経過時間（出不能化設定経過時間）に達したことを条件に、前記貸与処理手段（制御ユニット３８０；貸与処理）における貸与処理を不能動化する不能動化処理を行う不能動化処理手段（制御ユニット３８０；不能動化処理）を備える。
【００９３】
本発明の請求項５は、遊技場外の管理機関（管理会社）に設置された場外管理装置（管理サーバ１４０）との通信を行うための場外通信手段（通信部３７４）と、前記場外通信手段により場外管理装置から不能動化解除指令（貸出不能解除指示）を受信したこと基づいて、前記貸与処理の不能動化を解除する解除処理手段（制御ユニット３８０；解除処理）と、を備える。
【００９４】
本発明の請求項６は、遊技機（パチンコ機２）に対応して設けられ、貨幣を受付けて、該受付けた貨幣の真贋と貨幣種別とを識別する貨幣識別手段（紙幣識別ユニット３７１、硬貨識別ユニット３７２）と、該貨幣識別手段にて識別された識別金額の範囲内の所定額に相当する遊技媒体（パチンコ玉）を貸与するための貸与処理を行う貸与処理手段（制御ユニット３８０；貸与処理）とを有する遊技用装置（現金ユニット３５０）と、該遊技用装置に接続され、該遊技用装置における貸与処理に供された貸与額の集計および管理を行う管理装置（ホールコンピュータ１５０）と、から成る遊技用システムであって、前記遊技用装置は、前記貸与処理に供される貸与額を特定可能な貸与額情報（売上情報）を、前記管理装置に送信する貸与額情報送信手段（制御ユニット３８０；売上情報送信処理）と、前記貸与額を集計する第１の貸与額集計手段（制御ユニット３８０；貸与額加算更新処理、ユニット別データテーブル）と、を備え、前記管理装置は、前記貸与額情報送信手段から送信される前記貸与額情報から特定される貸与額を集計する第２の貸与額集計手段（ＣＰＵ１５２；貸与額加算更新処理、ユニット別データテーブル）と、該第２の貸与額集計手段にて集計した総貸与額（照合要求）を前記遊技用装置に送信する総貸与額送信手段（ＣＰＵ１５２；照合要求送信処理）と、を備え、前記遊技用装置は、前記総貸与額送信手段から送信される総貸与額を受信する受信手段（制御ユニット３８０；受信処理）と、該受信手段にて受信した総貸与額と、前記第１の貸与額集計手段にて貸与額を集計することにより得られた総貸与額とを比較照合し、当該照合結果を前記管理装置に送信する照合処理手段（制御ユニット３８０；照合処理）と、を備え、前記管理装置は、遊技場外の管理機関（管理会社）に設置された場外管理装置（管理サーバ１４０）に接続され、前記照合結果を受信したときに、該受信した照合結果（不一致発生情報）を該場外管理装置に送信する。
【００９５】
本発明の請求項７は、前記遊技用装置（現金ユニット３５０）は、前記貸与額を含む貸与履歴（貸出履歴）を記憶する貸与履歴記憶手段（制御ユニット３８０；貸出履歴記憶処理、貸出履歴テーブル）と、前記照合処理手段（制御ユニット３８０；照合処理）は、前記照合結果が不一致であるとの照合結果であることを条件に、該不一致であるとの照合結果とともに前記貸与履歴記憶手段に記憶している貸与履歴を前記管理装置（ホールコンピュータ１５０）に送信し、前記管理装置は、前記照合結果とともに受信した貸与履歴を、該照合結果とともに前記場外管理装置（管理サーバ１４０）に送信する。
【００９６】
本発明の請求項８は、前記遊技用装置（現金ユニット３５０）は、前記貸与処理毎に前記貸与額情報（売上情報）を前記貸与額情報送信手段（制御ユニット３８０；売上情報送信処理）から送信し、前記管理装置（ホールコンピュータ１５０）は、前記貸与額情報送信手段にて送信される貸与額情報から特定される貸与額を含む貸与履歴（貸出履歴）を前記遊技用装置別に記憶、管理し、前記遊技用装置から不一致であるとの照合結果を受信したことを条件に、該照合結果とともに受信した前記貸与履歴と、当該管理装置にて記憶、管理している当該遊技用装置の貸与履歴とを前記場外管理装置（管理サーバ１４０）に送信する。
【図面の簡単な説明】
【００９７】
【図１】本発明の実施例の遊技用システムの構成を示すシステム図である。
【図２】本発明の実施例に用いた現金ユニットとパチンコ機とを示す正面図である。
【図３】本発明の実施例に用いた現金ユニットの構成を示すブロック図である。
【図４】（ａ）は、本発明の実施例に用いた現金ユニットの用いた制御ユニットのＲＡＭに記憶されている貸出玉数テーブル、（ｂ）は、貸出履歴テーブル、（ｃ）は、照合結果データを示す図である。
【図５】本発明の実施例に用いたホールコンピュータの構成を示す図である。
【図６】（ａ）は、本発明の実施例に用いたホールコンピュータにおける貸出玉数テーブルを示す図であり、（ｂ）は、ユニット別データテーブルを示す図である。
【図７】本発明の実施例の遊技用システムにおける処理状況を示す図である。
【図８】本発明の実施例の遊技用システムにおける処理状況を示す図である。
【符号の説明】
【００９８】
２        パチンコ機
１４０    管理サーバ
１５０    ホールコンピュータ
３５０    現金ユニット
３７１    紙幣識別ユニット
３７３    球切り払出ユニット
３７２    硬貨識別ユニット
３７４    通信部
３８０    制御ユニット
【図１】
2005342404.tif 000003
【図２】
2005342404.tif 000004
【図３】
2005342404.tif 000005
【図４】
2005342404.tif 000006
【図５】
2005342404.tif 000007
【図６】
2005342404.tif 000008
【図７】
2005342404.tif 000009
【図８】
2005342404.tif 000010